(57)【要約】【課題】被写界輝度だけでなく被写体に応じても適応的にシャッタ速度が設定される撮影装置を提供する。  【解決手段】被写体から発せられる赤外線を検出するための赤外線センサＩＦＳを設ける。この赤外線センサで所定量を超える赤外線が検出されたときには、被写体が動体である確率が高いとして、被写界輝度に応じて算出されたシャッタ速度を高速側に変更する（ステップＳ３０１５）。さらに、適正露出になるようにＦ値を変更し、それでも光量不足になるようなら感度を上げる（Ｓ３０１６）。  【選択図】図３
2008129277.tif 000002
【特許請求の範囲】
【請求項１】
撮影光学系で被写体光を捉え該被写体光を撮像素子に結像させて画像データを生成する撮影装置において、
被写体から発せられる赤外線を検出する赤外線センサと、
前記赤外線センサで検出された赤外線が所定量を超えていた場合に、該赤外線量が該所定量以下であった場合と比べシャッタ速度を高速側に設定する露出制御手段とを備えたことを特徴とする撮影装置。
【請求項２】
前記露出制御手段は、現在の撮影シーンの被写体から発せられ前記赤外線センサで検出された赤外線量が前記所定量を越えていた場合におけるシャッタ速度を、前記撮影シーンと同一の撮影シーンの被写体から発せられ前記赤外線センサで検出された赤外線量が仮に前記所定量以下であった場合に設定されるシャッタ速度が所定速度よりも低速であった場合に限り、該赤外線量が該所定量以下であった場合と比べ高速側に設定するものであることを特徴とする請求項１記載の撮影装置。
【請求項３】
前記露出制御手段は、前記赤外線センサで検出された赤外線量が前記所定量を越えていたことに起因してシャッタ速度を高速側に設定した場合に、絞りを広げることにより適正露出に制御するものであることを特徴とする請求項２記載の撮影装置。
【請求項４】
前記露出制御手段は、前記赤外線センサで検出された赤外線量が前記所定量を越えていたことに起因してシャッタ速度を高速側に設定した場合において、絞りを開放絞りにまで広げてもなお露出不足の場合には、感度を上げることにより適正露出に制御するものであることを特徴とする請求項３記載の撮影装置。
【発明の詳細な説明】
【技術分野】
【０００１】
本発明は、撮影光学系で被写体光を捉え被写体光を撮像素子に結像させて画像データを生成する撮影装置に関する。
【背景技術】
【０００２】
従来より手ぶれの発生を防ぐ技術が数多く提案されている（例えば特許文献１参照）。この特許文献１の技術によれば、手ぶれが発生しない速度にシャッタ速度が固定され被写界の輝度に応じて感度が調整されることにより手ぶれの発生が防止される。つまりこの特許文献１の撮影装置では、被写体が風景であろうが人物であろうが被写界の輝度に応じて鮮明な撮影が行なわれる様に撮影に係わる制御が行なわれる。
【０００３】
一方、監視カメラ等においては、人物や動物などの動体が接近してきたことを赤外線センサで検知して撮影を行なう技術が提案されている（例えば特許文献２参照）。この特許文献２では、赤外線フィルタを着脱自在に装着することで夜間であっても鮮明な撮影が行なわれる様に撮影に係わる制御が行なわれる。
【特許文献１】特開２００６−３３２０９号公報
【特許文献２】特開２００４−１３８７７４号公報
【発明の開示】
【発明が解決しようとする課題】
【０００４】
ところで、いままでの撮影装置においては、上記特許文献１の様に被写体が動体であっても静止体であっても被写界輝度が優先され被写界輝度に応じてシャッタ速度が設定される。しかし被写体が動体であるときには被写界輝度のみに応じて低速側にシャッタ速度が設定されると、撮影された画像にぶれが発生してしまうことがある。
【０００５】
本発明は、上記事情に鑑み、被写界輝度だけでなく被写体に応じても適応的にシャッタ速度が設定される撮影装置を提供することを目的とする。
【課題を解決するための手段】
【０００６】
上記目的を達成する本発明の撮影装置は、撮影光学系で被写体光を捉えその被写体光を撮像素子に結像させて画像データを生成する撮影装置において、
被写体から発せられる赤外線を検出する赤外線センサと、
上記赤外線センサで検出された赤外線が所定量を超えていた場合に、赤外線量が所定量以下であった場合と比べシャッタ速度を高速側に設定する露出制御手段とを備えたことを特徴とする。
【０００７】
上記本発明の撮影装置によれば、上記赤外線センサで検出された赤外線の量が所定量を超えていた場合に、上記露出制御手段によって赤外線の量が所定量以下であった場合と比べシャッタ速度が高速側に設定される。
【０００８】
上記所定量によって被写体が静止体であるか動体であるかが区別される。すなわち、赤外線センサで検出された赤外線が所定量を超えていた場合には被写体が人や動物などの動体であり、静止体を撮影する場合と比べ自動的にシャッタ速度が高速側に設定され撮影が行なわれてぶれの発生が抑制される。
【０００９】
ここで、上記露出制御手段は、現在の撮影シーンの被写体から発せられ上記赤外線センサで検出された赤外線量が上記所定量を越えていた場合におけるシャッタ速度を、上記撮影シーンと同一の撮影シーンの被写体から発せられ上記赤外線センサで検出された赤外線量が仮に上記所定量以下であった場合に設定されるシャッタ速度が所定速度よりも低速であった場合に限り、赤外線量が所定量以下であった場合と比べ高速側に設定するものであることが好ましい。
【００１０】
例えば、被写界輝度が比較的に明るい撮影シーンでは、被写体が静止体であっても動体であっても被写体によらずに被写界輝度に基づいてシャッタ速度が一律高速側に設定され撮影が行なわれる。このときには撮影した画像にぶれは発生しない。これに対し被写界輝度が比較的に暗い撮影シーンでは被写界輝度に基づいてシャッタ速度が一律低速側に設定され撮影が行なわれてしまうと、被写体が動体であった場合には撮影した画像にぶれが発生してしまう恐れがある。
【００１１】
これらのことを考えると、被写界輝度が比較的暗いという撮影シーンであっても、被写体が動体であった場合には、被写体が静止体であるときと比べシャッタ速度が高速側に設定された方が良い。
【００１２】
また、上記露出制御手段は、上記赤外線センサで検出された赤外線量が上記所定量を越えていたことに起因してシャッタ速度を高速側に設定した場合に、絞りを広げることにより適正露出に制御するものであることが好ましい。
【００１３】
シャッタ速度を高速側に設定すると、光量が減って露出不足が発生する場合があるので、その場合には上記露出制御手段は絞りを広げて光量を増やせば良い。
【００１４】
さらに、上記露出制御手段は、上記赤外線センサで検出された赤外線量が上記所定量を越えていたことに起因してシャッタ速度を高速側に設定した場合において、絞りを開放絞りにまで広げてもなお露出不足の場合には、感度を上げることにより適正露出に制御すれば良い。
【発明の効果】
【００１５】
以上、説明したように、被写界輝度だけでなく被写体に応じても適応的にシャッタ速度が設定される撮影装置が実現する。
【発明を実施するための最良の形態】
【００１６】
以下、図面を参照して本発明の実施の形態を説明する。
【００１７】
図１は、本発明の撮影装置の一実施形態であるデジタルカメラを示す図である。
【００１８】
図１には本発明の一実施形態であるデジタルカメラ１００の斜視図が示されている。図１（ａ）には正面上方から見た斜視図が示されており、図１（ｂ）には背面上方から見た斜視図が示されている。
【００１９】
図１（ａ）に示すように、本実施形態のデジタルカメラ１００のボディ中央にはレンズ鏡胴１７０が備えられており、そのレンズ鏡胴１７０の上方には、ファインダ１０５が備えられている。またそのファインダ１０５の脇には撮影補助光発光窓１６１が備えられている。さらに本実施形態のデジタルカメラにおいては、レンズ鏡胴１７０の左斜め上方に赤外線センサＩＦＳが備えられている。この赤外線センサＩＦＳで被写体から発せられる赤外線の量が検出される。
【００２０】
また、図１（ｂ）に示すように本実施形態のデジタルカメラ１００の背面および上面にはユーザがこのデジタルカメラ１００を使用するときにいろいろな操作を行なうための操作子群１０１が備えられている。
【００２１】
この操作子群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅなどがある。これらの操作子群１０１の中のモードレバー１０１ｅによっては、再生モードと撮影モードの切替や撮影モードの中でさらに動画モード、静止画モードの切替が行なわれる。上記モードレバー１０１ｅが撮影モードに切り替えられた状態にあるときに電源スイッチ１０１ａが投入されると表示画面１５０上にスルー画が表示されて、そのスルー画を見ながらシャッタチャンスにレリーズ釦１０２が押されると被写体の撮影が行なわれる。なお上記モードレバー１０１ｅが再生側に切り替えられた状態にあるときには既撮影画像がＬＣＤパネル１５０上に再生表示される。
【００２２】
なお本実施形態のデジタルカメラ１００が備えるレリーズ釦１０２は半押しと全押しの２つの操作態様を有しており、半押しされたときのタイミングで測光と測距との双方が撮影装置内で行われて測光値に応じた絞りおよびシャッタ秒時（機械式シャッタ又は電子シャッタのうちのいずれかを優先的に用いる）が設定され、さらに測距された被写体距離にあうピント位置にフォーカスレンズが配置された後、レリーズボタンの全押し操作に応じて機械式シャッタ（又は電子シャッタ）が駆動されＣＣＤ固体撮像素子で露光が行なわれる。
【００２３】
図２は、図１のデジタルカメラ１００内部の電気系統の構成ブロック図である。  
【００２４】
図２を参照してこのデジタルカメラ１００の内部の構成および動作を簡単に説明する。
【００２５】
本実施形態のデジタルカメラ１００ではすべての処理がメインＣＰＵ１１０によって統括的に制御されている。このメインＣＰＵ１１０の入力部には図１（ｂ）に示した操作子群１０１からの操作信号がそれぞれ供給されていてそれらの操作信号のうちの少なくとも一つが供給されてきたら操作信号に応じた処理が適宜ＣＰＵ１１０によって実行される。メインＣＰＵ１１０はＥＥＰＲＯＭ１１０ａを有しており、このＥＥＰＲＯＭ１１０ａにはデジタルカメラ１００として動作するために必要なプログラムが書き込まれているので、まず操作子群１０１の中の電源スイッチ１０１ａ（図１参照）が投入されたらそのＥＥＰＲＯＭ１１０ａ内のプログラムの手順にしたがってメインＣＰＵ１１０によりこのデジタルカメラ全体の動作を制御する処理が開始される。なお、ＣＰＵ１１０とＥＥＰＲＯＭ１１０ａには常に電源１３０から電力が供給されている。
【００２６】
ここで操作子群１０１の中の電源スイッチ１０１ａ（図１参照）が投入された後のデジタルカメラ１００の動作を、図２を参照して説明する。
【００２７】
操作子群１０１の中の電源スイッチ１０１ａが投入されたら、メインＣＰＵ１１０により電源スイッチ１０１ａが投入されたことが検知され、電源１３０から測光・測距ＣＰＵ１２０などの各ブロックに電力が供給される。電源１３０から各部に電力が供給されたときにモードレバー１０１ｅが撮影側に切り替えられている場合には、まず撮影レンズ１１１０，１１１１によりＣＣＤ固体撮影素子１１２上に結像された被写体像が画像信号として所定の間隔ごとに間引かれて出力され、その出力された画像信号に基づく被写体像が画像表示ＬＣＤ１５のＬＣＤパネル１５０上に表示される。このＣＣＤ固体撮像素子１１２にはクロックジェネレータ（以下、ＣＧという）１１２１からタイミング信号が供給されており、このタイミング信号によって所定の間隔ごとにＣＣＤ固体撮像素子１１２に電子シャッタが設定され画像信号が間引かれて出力される。このＣＧ１１２１からはメインＣＰＵ１１０からの指示に基づいてタイミング信号に同期した信号がＣＣＤ固体撮像素子１１２の他、後段のホワイトバランスγ処理部１１３、さらにＡ／Ｄ部１１４にも供給されているので、ＣＣＤ固体撮像素子１１２、ホワイトバランスγ処理部１１３、Ａ／Ｄ部１１４ではそのタイミング信号に同期して順序良く画像信号の処理が流れるように行なわれる。なお、本実施形態のホワイトバランスγ処理部１１３には、可変利得アンプが内蔵されていてその可変利得アンプに測光・測距ＣＰＵ１２０からゲインを表わす制御信号がセットされると撮影感度が調整される。
【００２８】
つまり本実施形態のデジタルカメラ１００においては、機械式シャッタ１１１３の駆動の制御やＣＧ１１２１からＣＣＤ固体撮像素子１１２に設定される電子シャッタの駆動の制御がメインＣＰＵ１１０からの指示に基づいて測光・測距ＣＰＵ１２０によって行なわれることになる。さらに本実施形態においては赤外線センサＩＦＳで検出された赤外線の量が所定量を超えていた場合には被写体が動体であるとして測光・測距ＣＰＵ１２０に指示してシャッタ速度が低速側に設定されていた場合にはそのシャッタ速度が高速側に変更される。
【００２９】
詳細は後述するが、本実施形態においては、このメインＣＰＵ１１０と測光・測距ＣＰＵ１２０との双方が本発明にいう露出制御手段に該当する。
【００３０】
こうしてＣＧ１１２１からのタイミング信号に同期してＣＣＤ固体撮像素子１１２、ホワイトバランスγ処理部１１３、Ａ／Ｄ部１１４で順序良く画像信号の処理が流れるように行なわれてＡ／Ｄ部１１４でアナログの画像信号がデジタルの画像信号に変換されたら、ホワイトバランス調整やガンマ補正された画像信号が後段のＹＣ処理部１１６に供給される。
【００３１】
このＹＣ処理部１１６でＹＣ分離の処理が行なわれるときにはＡ／Ｄ部１１４とＹＣ処理部１１６との間の処理タイミングをあわせる必要があるので、バッファメモリ１１５によってバッファメモリ１１５を境にした前段（Ａ／Ｄ部１１４等）の処理タイミングと後段（ＹＣ処理部１１６）の処理タイミングとがあう様に調整されてからＹＣ処理部１１６に画像信号であるＲＧＢ信号が転送される。
【００３２】
ＹＣ処理部１１６では、そのＲＧＢ信号からＹＣ信号への変換が行なわれ、その後バス１２１を介してその変換されたＹＣ信号が画像表示ＬＣＤ１５に供給されるとともにＹＣ信号のうちのＹ信号がメインＣＰＵ１１０に供給される。
【００３３】
ＹＣ信号が供給される画像表示ＬＣＤ１５の方にはまずＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２に供給され、さらにそのドライバ１５２によって画像表示ＬＣＤ１５のＬＣＤパネル１５０上にＲＧＢ信号に基づくカラー画像（被写体像）の表示が行なわれる。
【００３４】
また、Ｙ信号が供給されるメインＣＰＵ１１０の方では、Ｙ信号に基づいて測光が行なわれその測光値が後述する測光・測距ＣＰＵ１２０に供給されてその測光・測距ＣＰＵ１２０によって絶えず絞り径の変更設定やＣＣＤ固体撮像素子１１２の電子シャッタ秒時（ＣＧ１１２１）の設定等が行なわれて適正な明るさを持つスルー画を得るために必要な露出が調整される様になっている。さらに、メインＣＰＵ１１０では、Ｙ信号からコントラストが検出されピント調整も絶えず行なわれる様になっていて、そのピント調整により得た合焦位置が測光・測距ＣＰＵ１２０に通知され測光・測距ＣＰＵ１２０によって撮影レンズ１１１１であるフォーカスレンズが合焦位置に配置される様にもなっている。
【００３５】
前述したＣＧ１１２１から出力されるタイミング信号に同期してＣＣＤ固体撮像素子１１２、ホワイトバランスγ処理部１１３、Ａ／Ｄ部１１４およびバッファメモリ１１５等が動作して、所定の間隔ごとにＣＣＤ固体撮像素子１１２で生成された画像信号が処理されている訳であるから、この画像表示ＬＣＤ１５の表示パネル１５０上には撮影レンズが向けられた方向の被写体が被写体像として常に表示され続ける。この表示され続けている被写体像を視認しながら、シャッタチャンスにレリーズ釦１０２が押されると、レリーズ釦１０２の押下タイミングを起点として測光・測距ＣＰＵ１２０により所定のシャッタ秒時で機械式シャッタ１１１３が開駆動されてＣＣＤ固体撮像素子１１２に被写体光が結像され所定のシャッタ秒時が経過して機械式シャッタが閉じ駆動される。この露光期間中に被写界輝度が低輝度である場合には、補助光発光部１６が備えるＸｅ管発光制御部１６ａの制御の下にキセノン管Ｘｅから撮影補助光が照射され被写界が照明される。このときの発光タイミングは、撮影処理に係る同期信号を作成しているクロックジェネレータ１１２１からのクロックに基づいて撮影補助光発光部１４０によって制御される。
【００３６】
そして機械式シャッタ１１１３が閉じ駆動された後にＣＧ１１２１からＣＣＤ固体撮像素子１１２に読み出し信号が供給されその読み出し信号に応じてＣＣＤ固体撮像素子１１２に結像された画像信号がＲＧＢ信号となって出力される。出力されたＲＧＢ信号はＹＣ処理部１１６でＹＣ信号に変換されてさらに圧縮・伸張部１１７でＹＣ信号が圧縮され、その圧縮された画像信号がヘッダと共に画像ファイルとなってメモリカード１１９に記録される。この圧縮・伸張部１１７では静止画についてはＪＰＥＧ規格に準拠した圧縮方法で圧縮が行なわれてメモリカード１１９に画像ファイルが記録される。この画像ファイルのヘッダには圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が圧縮・伸張部１１７で伸張されて画像信号が元に復元された後、その画像信号に基づく被写体像がＬＣＤパネル１５０上に表示される。
【００３７】
ここで、本発明にいう露出制御手段に該当するメインＣＰＵ１１０と測光・測距ＣＰＵ１２０とが連携して行なう撮影処理を説明する。
【００３８】
図３（ａ）は、メインＣＰＵ１１０と測光・測距ＣＰＵ１２０が行なう撮影処理の手順を示すフローチャートである。
【００３９】
図３（ａ）のフローの処理は、シャッタボタン１０２が半押しされたときに開始される。
【００４０】
シャッタボタン１０２が半押しされたら、ステップＳ３０１でＡＥ処理（測光結果に応じて絞り等を調整して露出調整を行なう）を実行して、次のステップＳ３０２でＡＦ処理（フォーカスレンズを合焦位置に配置する）を実行する。
【００４１】
ここでシャッタボタン１０２が全押しされたら、ステップＳ３０３へ進んでステップＳ３０３で撮影を開始し、撮影が終了したら次のステップＳ３０４へ進む。次のステップＳ３０４で撮像素子に読み出し信号を供給して画像信号を順次に読み出してＡ／Ｄ部１１４へと供給させる。
【００４２】
次のステップＳ３０５でＡ／Ｄ部１１４にＡ／Ｄ変換を行なわせ、次のステップＳ３０６でデジタル信号に変換された画像信号を、バッファメモリ１１５からバス１２１を経由してＹＣ処理部１１６に供給させる。こうしてＹＣ信号処理部１１６に信号処理を行なわせてＹＣ処理部１１６での信号処理が終了したら、次のステップＳ３０７で今度はバス１２１を経由して圧縮・伸張部１１７に１フレーム分の画像信号を順次に供給させ圧縮伸張部１１７に圧縮処理を行なわせて、メモリカード１１９に撮影により得た画像データを記録させてこのフローの処理を終了する。
【００４３】
ここで、本発明にいう露出制御手段であるメインＣＰＵ１１０と測光・測距ＣＰＵが連携して行なう測光および動体／静止体の識別処理を図３（ｂ）を参照して説明する。
【００４４】
図３（ｂ）は、図３（ａ）のＡＥ処理の処理ステップＳ３０１の詳細を示すフローチャートである。
【００４５】
まず、シャッタボタンが半押しされたら、ステップＳ３０１１で画像信号に基づいて測定された被写界輝度に応じて撮影時の絞り値（Ｆ値）とシャッタ速度を設定する。次のステップＳ３０３２で、赤外線センサＩＦＳで所定量以上の赤外線が検出されているかどうかを判定する。このステップＳ３０１２で所定量以上の赤外線が検出されていないと判定したら、Ｎｏ側へ進んでステップＳ３０１３で、ステップＳ３０１１で算出したシャッタ速度をそのまま設定する。
【００４６】
ステップＳ３０１２で所定量を超えた量の赤外線が検出されていると判定したらＹｅｓ側へ進んでステップＳ３０１４で、ステップＳ３０１１で設定したシャッタ速度が１／１００以上であるかどうかを判定する。このステップＳ３０１４でステップＳ３０１１で設定したシャッタ速度が１／１００未満の高速シャッタであるか、１／１００以上の低速シャッタであるかを判定し、１／１００未満の高速シャッタであった場合には、メインルーチンのステップＳ３０２へ進み、１／１００以上の低速シャッタであった場合には、ステップＳ３０１５へ進んで処理を続行する。ステップＳ３０１５へ進んだらステップＳ３０１５でシャッタ速度を１／１００に設定し直して、次のステップＳ３０１６で適正露出になるようにＦ値を変更して絞りの調節を行なうとともに撮影感度を上げてメインルーチンのステップＳ３０２へ進む。
【００４７】
以上の処理が実行されると、被写体が動体である確率が高いにも拘らず、被写界輝度に応じてシャッタ速度が相対的に低速側に設定されそうなときにはシャッタ速度が相対的に高速側に変更されてから撮影が行なわれる。その結果、撮影した画像にぶれが発生することがなくなる。また、被写体が静止体であった場合には、通常通り撮影が行なわれて鮮明な画像が得られる。
【００４８】
ここで、第１実施形態では、赤外線センサＩＦＳを撮影光学系の外側に設けたが、精度を上げることを考えれば撮影光学系内に赤外線センサＩＦＳを設けた方が良い。
【００４９】
図４〜図６は、第２実施形態を説明する図である。
【００５０】
図４には図２と同様のブロック図が示されている。この図４に示す構成は、撮影光学系内に赤外ダイクロイックミラーＤＭが挿入され挿入された赤外ダイクロイックミラーＤＭにより抽出される赤外線の経路に赤外線センサＩＦＳが設けられている以外は、図２の構成と同じである。
【００５１】
また、図５には、図３と同様にメインＣＰＵ１１０と測光・測距ＣＰＵ１２０が連携して実行する撮影処理の手順がフローチャートの形で示されている。この図５に示す処理は、ステップＳ３０１２５とステップＳ３０１３５の処理が追加されている以外は、図３と同じ処理である。
【００５２】
ステップでＳ３０１２５とステップＳ３０１３５の処理が追加され、それらのステップで画像ファイルのヘッダ内に赤外線が検出されたか否かを記録する処理が行なわれている以外は、図３の処理と同じである。
【００５３】
図６には、Ｅｘｉｆファイルをメモリカードに記録するときのメモリアロケーションが示されている。図６に示す様に、ヘッダ領域にはスタートコード領域、次にタグ領域、さらにサムネイル領域が割り当てられていて、それらの下方に撮影画像の記録領域が割り当てられている。
【００５４】
図５のステップＳ３０１２５か、ステップＳ３０１３５の処理が実行されると、図６のタグ領域に赤外線が検出されたか、検出されなかったかが記録される。
【００５５】
このように画像ファイルのタグ領域内に赤外線が検出されたかどうかが記録されていると、同じ様なシーンでマニュアル撮影を行なうときなどに役立つ。
【図面の簡単な説明】
【００５６】
【図１】本発明の撮影装置の一実施形態であるデジタルカメラを示す図である。
【図２】図１のデジタルカメラ１００内部の電気系統の構成ブロック図である。
【図３】メインＣＰＵ１１０と測光・測距ＣＰＵ１２０が行なう撮影処理の手順を示すフローチャートである。
【図４】第２実施形態を説明する図である。
【図５】第２実施形態を説明する図である。
【図６】第２実施形態を説明する図である。
【符号の説明】
【００５７】
１００    デジタルカメラ
１０１    操作子群
１０１ａ      電源スイッチ
１０１ｂ    十字キー
１０１ｃ    メニューキー
１０１ｄ    キャンセルキー
１０１ｅ      モードレバー
１０２        レリーズ釦
１０５    ファインダ
１１０    メインＣＰＵ
１１１０    １１１１  撮影レンズ
１１１２    絞り
１１１３    機械式シャッタ
１１２    ＣＣＤ固体撮像素子
１１２１    クロックジェネレータ（ＣＧ）
１２０  測光・測距ＣＰＵ
１６      補助光発光部
１６ａ    Ｘｅ管発光制御部
１６１      補助光発光窓
１７０    レンズ鏡胴
ＩＦＳ    赤外線センサ
ＤＭ      赤外ダイクロイックミラー
【図１】
2008129277.tif 000003
【図２】
2008129277.tif 000004
【図３】
2008129277.tif 000005
【図４】
2008129277.tif 000006
【図５】
2008129277.tif 000007
【図６】
2008129277.tif 000008